(57)【要約】【目的】  本発明は給水取出し施工における配管テスト用治具に関し、給水装置におけるサドル付分水栓と水道メーターの間に設置したＢバルブにHIVPの接続において、従来HIVP側からだけ行われていた水圧テストをSSP側からもできるようにした。【解決手段】  Ｂバルブ(3)のSSP側穴付き袋ネジ(11)の内径に適合する外径を有する円形台座(14)と台座の中心に起立する筒形ニップル(15)と、そのニップル先端に設けたプラグカプラー(16)とからなる接続アダプター(13)を穴付き袋ナット(11)にセットしてＢバルブの開口端部に装着し、Ｂバルブの開口両端が共にSSP対応の管径において、両端のどちらからでも水圧テストポンプ(26)にユニオンナット（31）とソケットカプラー（32）を介して接続する耐圧ホースのソケットカプラー(35)を袋ナットの一方にセットした接続アダプターのプラグカプラーに接続した構成。【選択図】      図２
2020016119.tif 000002
【特許請求の範囲】
【請求項１】
Ｂバルブ(3)のSSP側穴付き袋ナット(11)の内径に適合する外径を有する円形台座(14)と当該台座の中心に起立固定する筒形ニップル(15)と、そのニップルの先端に設けたプラグカプラー(16)とからなる接続アダプター(13)を穴付き袋ナット(11)にセットすると共に当該穴付き袋ナット(11)をＢバルブ(3)の開口端部に装着したことを特徴とする水道の給水施工における配管テスト用治具。
【請求項２】
Ｂバルブ(3)の開口両端部が共にSSP対応の同径の管径において、その両端のどちらからでも水圧テストポンプ(26)に接続金具のユニオンナット（31）とソケットカプラー（32）を介して接続する耐圧ホース端部のソケットカプラー(35)を穴付き袋ナット(11)・(12)の一方にセットして接続アダプター(13)のプラグカプラー(16)に接続するようにした請求項１記載の水道の給水施工における配管テスト用治具。
【請求項３】
円形台座(14)の外径が穴付き袋ナットの環状パッキン(24)の内径に接する直径とし、その台座の表面に雌ネジ(18)を設けた隆起部(17)を成形し、筒形ニップル(15)の基部に円形台座の雌ネジ(18)に螺合する雄ネジ(19)を設け、且つ筒形ニップル先端部にも雄ネジ(20)を設け、プラグカプラー(16)の基部に筒形ニップル先端の雄ネジ(20)に螺合する袋状ナット(21)を設けた請求項１記載又は請求項２記載の水道の給水施工における配管テスト用治具に用いる接続アダプター。
【発明の詳細な説明】
【技術分野】
【０００１】
本発明は、水道の給水施工における配管テスト用治具及びそのテスト用治具に用いる接続用アダプターに関するもので、給水装置におけるサドル付分水栓から、量水器すなわち仕切弁・水道メーターの間に設置したステンレス製ボール止水栓（以下、「Ｂバルブ」という。）に接続して耐圧テストを行なうためのテスト用治具の開発を目的とする。
【背景技術】
【０００２】
一般に、この種の配水本管から分岐した給水管の水圧をテストするためには、市販の水圧テスト用ポンプ（図９）が用いている。
【０００３】
上記の水圧テスト用ポンプは、水道工事や水道の設置などをしたときに耐圧が十分か、漏れがないかを計測するための装置である。住宅においては、それぞれ水道を設置されるが、そのほとんどは市区町村の自治体からの水道管から受けることになり、そのために工事をして設置をする。設置をしたらそれが正しく使えるか、問題なく施工しているかをチェックする必要があり、そのためにこのテストポンプを使用する。水道においては水圧が重要で、それによって家庭内への水の供給力が変わるので、問題ないかをチェックする。
【０００４】
そして異常な状態になっていれば施工の段階で漏れが発生している可能性が出てくるので、それを確認する。漏れを発生した後は、修正をした後などにさらにチェックをして確かめることが行われる。
【０００５】
このような水圧テスト用ポンプを使った水圧テストにおいて、Ｂバルブから水圧テストを行なう場合、従来の発明（特開２０１８−０６６１６５)は、図８に示すように、B-HIVPのHIVP側の袋ナットを外してテスト用治具１３０の一端にプラグカプラー１６０を有し、他端に雌ネジを有する袋ナット１２０をバルブ３０の外径ネジ３ｎに螺合する。そして、一端のプラグカプラー１６０に図９に示す水圧ポンプ２６のホース先端に有する接続雄ネジ３０を接続して耐圧テストを行う方法であった。そのため、B-SSP及びB-HIVPのSSP（ステンレス波状管接続）側からの耐圧テストを行うことができなかった。
【０００６】
ところで、市区町村の自治体による給水施工上の設計でＢバルブのB-SSP(両方とも波状管接続)の物を使用した場合に、SSP側からテストを行う必要があった。この場合、SSP側の管径はHIVP 側の管径と異なるため、HIVP側管径に使用するアダプターとは別に新規に複数のSSP側専用のアダプターを用意する必要がある。
【先行技術文献】
【特許文献】
【０００７】
【特許文献１】特開２０１８−０６６１６５公開公報
【特許文献２】特開２００９−１１５５７０公開公報
【０００８】
上記の特許文献１は、給水取出し施工における配管テスト用治具において、水道の配水本管から分岐して配設した給水管の水道メーターまでの途中で、図８に示すように、Ｂバルブ３０のSSP側の給水管２に一端を結合し、何も結合していない他端（HIVP）側における管外径のストレート雄ネジ３ｎにストレート雌ネジを有するプラグカプラー付きテスト用治具１３０を螺合する。そして、水圧テストポンプに２ｍ程度の長さで設けた耐圧ホース先端のソケットカプラー３５（図９）をHIVP側のプラグカプラー１６０に接続するようにしたものである。
【０００９】
次に特許文献２は、この分野における一般的なレバー式ハンドルの操作で行う水圧テスト用ポンプ２６（図９）であり、耐圧ホース２７の先端に設けたソケットカプラー２８をＢバルブのHIVP側のプラグカプラー１６０にワンタッチ接続して給水管の水圧テストを行う構造になっている。
【発明の概要】
【発明が解決しようとする課題】
【００１０】
ところが、従来の接続方法は、上記特許文献１の水圧テスト用ポンプに接合する水圧テスト用治具１３０（図８）は、真鍮製で比較的高価なＢバルブのHIVP側管外径ネジに螺合する呼び径が５種類の専用の水圧テスト治具の構造であるため、当該管外径と異形のSSP側の管外径ネジには接続できない。
【００１１】
仮にＢバルブのSSP側の管外径ネジ３１に螺合して水圧テストを行うようにするためには、別途に呼び径が５種類の専用の水圧テスト用治具を揃えて行わなければならない。
【００１２】
次に、上記特許文献２の水圧テストポンプに付属している耐圧ホースのストレートネジ部１/４（ニブ）をテーパーネジ１/２（ヨンブ）のテスト用メーターブッシングのネジは水道施工業者がそれぞれ部材を調達して接続しているのが実情である。
【００１３】
また、上記のように特許文献２の水圧耐圧ホースの先端に設けているストレートネジが数多く出回っている中でストレートネジ部とテーバーネジ部を接続するための部材は特殊であり、調達することが難しいため、ストレートネジとテーバーネジを接続配管してしまうという矛盾が発生しがちであった。
【課題を解決するための手段】
【００１４】
上記従来の問題を解決するために本発明はB-SSP（ステンレス波状管接続）から耐圧テストを行うための配管テスト用治具を提供するものである。
【００１５】
本発明の第１は、水道の給水施工における配管テスト用治具において、ＢバルブのSSP側穴付き袋ナットの内径に適合する外径を有する円形の台座と当該台座の中心に起立固定する筒形ニップルと、そのニップルの先端に設けたプラグカプラーとからなる接続アダプターを穴付き袋ナットにセットしてＢバルブの開口端部に装着したものである。
【００１６】
本発明の第２は、第１の発明に係る水道の給水施工における配管テスト用治具において、Ｂバルブの開口両端が共にSSP対応の同径の管径において、その両端のどちらからでも水圧テストポンプに接続金具のユニオンナットとソケットカプラーを介して接続する耐圧ホース端部のソケットカプラーを袋ナットの一方にセットして接続アダプターのプラグカプラーに接続するようにしたものである。
【００１７】
本発明の第３は、第１又は第２の発明に係る水道の給水施工における配管テスト用治具に用いる接続アダプターにおいて、円形台座の外径が穴付き袋ナットの環状パッキンの内径に接する直径とし、その台座の表面に雌ネジを設けた隆起部を成形し、筒形ニップルの基部に円形台座の雌ネジに螺合する雄ネジを設け、且つ筒形ニップル先端部にも雄ネジを設け、プラグカプラーの基部に筒形ニップル先端の雄ネジに螺合する袋状ナットを設けたものである。
【発明の効果】
【００１８】
本発明は上記の構成であるから、次のような効果がある。
第１に、ＢバルブにおいてB-SSP とB-HIVP の二種類のうち、(B-HIVP のHIVP 側の穴付き袋ナットを外してテスト用治具を接続して耐圧テストを行なう方法しかなかったが、本発明により、ＢバルブB-HIVP のSSP 側及びB-SSP の両端のSSP 側からも圧力テストをかけることが安全且つ容易に行うことができる。
【００１９】
第２に、ＢバルブのSSP 側からも圧力テストをかける接続アダプターは、削り出しの円形の台座、筒形ニップル、袋ナット付きのカプラーを組み立てるだけで成形できるので、極めて容易に均一の品質を確保しながら多量に製作することができる。
【００２０】
第３に、ＢバルブのSSP側に装着する接続アダプターは当該SSP側の管外径ネジに螺合するのではなく、SSP側の管外径に螺合する穴付き袋ナットの内径に装入する構造であるから、小型軽量化が図れると共に製作コストを抑えて経済的である。
【００２１】
第４に、SSP側とそのSSP側の管内径が同径である「B-SSP」型式のＢバルブにおいて、接続アダプター１種類でその両端のどちらからでも水圧テストを行うことができ、作業が迅速かつ効率的である。
【００２２】
第５に、接続アダプターは、その円形台座の外径が穴付き袋ナット内の環状パッキンの内径に接して装入してあるから、それだけでＢバルブの軸心と同じ軸心が保持され、穴付き袋ナットをＢバルブの管径に螺合して締め付けることに接続アダプターが軸心を保持して固定することができる。
【図面の簡単な説明】
【００２３】
【図１】配水本管から分岐してＢバルブ、仕切弁、水道メーター、蛇口付近まで至る給水管を示す概略正面図である。
【図２】Ｂバルブの両端にSSP給水管を接続した状態の斜視図である。
【図３】図２のSSP給水管から外したＢバルブの両端の穴付き袋ナットを外した状態の斜視図である。
【図４】図３のSSP給水管から外したＢバルブの左側の穴付き袋ナットに接続アダプターを装着した斜視図である。
【図５】接続アダプターの一部縦断正面図である。
【図６】図５の６−６線に沿う断面図である。
【図７】Ｂバルブの穴付き袋ナットに先端部を外部に突出させ、基端部を内径に収納してセットした状態の一部縦断正面図である。
【図８】ＢバルブのSSP給水管と反対側のHIVP給水管に接続する管外径ネジに既製のプラグカプラー付きテスト用治具を備えた斜視図である。
【図９】図５の接続アダプターに接続する水圧テストポンプの一部縦断正面図である。
【発明を実施するための形態】
【００２４】
次に、本発明の実施形態を説明すると、地下埋設水道配水本管の所定個所にサドル付きの分水栓を設置し、その分水栓から家屋等の蛇口に至る途中にＢバルブ、仕切弁、水道メーター（量水器）を配置し、分水栓とＢバルブの間にSSPの給水管を接続し、Ｂバルブと仕切弁の間にもSSPの給水管を接続し、当該仕切弁と隣接する水道メーターと家屋等の蛇口までHIVPを接続して上水道の敷設が完成状態になる。
【００２５】
上記の完成前の敷設工事において、Ｂバルブ両端のSSP側穴付き袋ネジの内径に適合する外径を有する円形台座と当該円形台座の中心に起立固定する筒形ニップルと、その筒形ニップルの先端に設けたプラグカプラーとからなる接続アダプターを袋ネジに装着してなるものである。
【００２６】
そして、市区町村の自治体等の管理者により、Ｂバルブから水圧テストを行なう指示を得た場合は、SSP 側穴付き袋ネジの内径に適合する外径を有する円形台座と当該円形台座の中心に起立固定する筒形ニップルと、そのニップルの先端に設けたプラグカプラーとからなるアダプターを袋ねじに装着して水圧テストを実施する。
【００２７】
そして、接続アダプターには円形台座の表面に雌ネジを設ける隆起部を成形し、筒形ニップルの基部に円形台座の雌ネジに螺合する雄ネジを設け、且つ筒形ニップル先端にも雄ネジを設け、プラグカプラーの基部に筒形ニップル先端の雄ネジに螺合する六角形の穴付き袋ナットを設ける。
【００２８】
さらに、Ｂバルブ左端に装着した接続アダプターに水圧ポンプを接続して、当該Ｂバルブと仕切弁間の水圧テストを行う。また、Ｂバルブの右端に装着した接続アダプターに水圧ポンプを接続して当該Ｂバルブと配水本管との間の水道給水止水栓と家屋における蛇口に至る前の水道給水止水栓の耐圧や水漏れのテストを行う。
【実施例】
【００２９】
次に、本発明の実施例を図面に即して説明する。図１において、１は水道の配水本管、２はその配水本管１から分岐してＢバルブ３まで敷設するSSP 側の給水管である。当該給水管はステンレス鋼管の途中に複数の波状２１が所定の間隔をおいて成形してある。４はＢバルブ３から仕切弁５まで敷設する波状４１を形成してある給水管、６はその仕切弁５に連結する水道メーター、７は水道メーター６から蛇口８まで敷設する配水用塩ビ管（ＶＰ）である。９は配水本管１に設けたステンレス製サドル付き分水栓、１０は配水本管１を被覆する防食フィルムを示す。図中２５は給水管の継手ソケットである。
【００３０】
上記のＢバルブ３とは、ステンレス製ボール止水栓のことであり、SSPとは、配水本管１とＢバルブ３を接続するフレシキブルなステンレス製パイプを指す。また、HIVPとは、Ｂバルブ３から量水器の仕切弁５及び水道メーター６から蛇口８に至る途中までの耐衝撃性硬質塩化ビニル管のことをいう。上記Ｂバルブ３の一端をSSPで他端をHIVPで接続する型式を「B-HIVP」と呼ぶ。そのSSPとHIVPの管径のサイズは呼び径で２０、２５、３０、４０、５０の５種類がある。したがって、これに適合する管径のＢバルブも５種類となる。
【００３１】
図２〜図４及び図７において、Ｂバルブ３の左端側の管外径ネジ３１にSSPの給水管２を接続する穴付き袋ナット１１を螺合し、右端側の管外径ネジ３２にSSPの給水管４を接続する穴付き袋ナット１２を螺合するようになっている。３ｐはＢバルブ３の両端に設けた水漏れ防止用のパッキンを示す。
【００３２】
図５〜図７において、１３は本発明に係る水道の給水施工における配管テスト用治具に用いる接続アダプターであり、円形台座１４と、筒形ニップル１５と、袋状のナット付きプラグカプラー１６とからなる。そして、円形台座１４は、その外径を穴付き袋ナット１１内の環状パッキンの内径に接して装着できるように成形し、且つ台座表面に雌ネジ１８を設ける隆起部１７を設け、両端部に雄ネジ１９・２０を設けた筒形ニップルの基部雄ネジ１９を円形台座１４の雌ねじ１８に螺合し、且つ筒形ニップル先端部の雄ネジ２０をプラグカプラー１６の基部に一体に成形した六角形状の穴付きの袋ナット２１に螺合してある。２２・２３は袋ナット１１・１２の穴である。図７において、２４は穴付き袋ナットの内部に装着してある環状パッキンであり、当該環状パッキンに装入した円形台座１４の外径がパッキン内に接触して接続アダプター１３の軸心を保持する構成になっている。３ｐはＢバルブ３の開口端面に設けた水漏れ防止用環状パッキンを示す。
【００３３】
図９において、２６は水圧テストポンプであり、操作ハンドル２７、圧力計２８、給水鋼管２９が備わっている。３０は給水管２９側の接続用雄ネジ、３１はその雄ネジ３０に接続する接続金具のユニオンナット、３２はユニオンナット３１に接続する接続金具のソケットカプラー、３３は一端にソケットカプラー３２に接続するプラグカプラー３４を設け、他端にＢバルブ３に装着した接続アダプター１３のプラグカプラー１６に接続するためのソケットカプラー３５を設けてある。
【００３４】
[具体的な組立例]
図２〜図４において、次の手順で行う。（１）Ｂバルブ３の左端側すなわち配水本管１側SSP給水管２の穴付き袋ナット１１を管外径ネジ３１から緩めてSSP側給水管２の端部から外す（図２・図３の左側）。（２）穴付き袋ナット１１から部品として予め装入されている平ワッシャー（図示省略）を取り除く。この平ワッシャーは環状パッキン２４の内径に接して外径を有している。
（３）図６の接続アダプター１３を穴付き袋ナット１１内に入れてプラグカプラー１６を袋ナット１１の穴２２から外に突出させる。このとき、台座１４の外径は環状ワッシャー２４の内径に接して装入している。すなわち、当該台座１４は平ワッシャーの外径と同径に成形してある（図４の左側、図７）。この状態のことを、接続アダプター１３を穴付き袋ナット１１にセットするという。（４）次に、Ｂバルブ３のSSP管外径ネジ３１に穴付き袋ナット１１をねじ込んで接続アダプター１３の台座１４を穴付き袋ナット１１に装着してある環状パッキン２４の内径に円形台座１４の外径が接して軸心を保持する。この状態で穴付き袋ナット１１をＢバルブ３の管外径ネジ３１に螺合すると、台座１４が環状パッキン３ｐに圧接して水密性が保持されて水漏れを防止する（図７）。
【００３５】
上記の構成において、水圧テストを行う場合を図９に沿って説明する。水圧テストポンプ２６における給水管２９の先端雄ネジ３０に接続金具のユニオンナット３１を接続する。
【００３６】
次に、ユニオンナット３１と反対側に位置する接続金具のソケットカプラー３２に耐圧ホース３３のプラグカプラー３４を接続する。
【００３７】
さらに、耐圧ホース３３のソケットカプラー３５にＢバルブ３の左端側（図４の左側）すなわち配水本管側に位置するSSP給水管用の管外径ネジ３１に螺合した穴付き袋ナット１１にセットしてある接続アダプター１３のプラグカプラー１６をワンタッチで差し込んで接続すると水圧テストポンプ２６によるテスト開始の準備が完了する。
【００３８】
また、Ｂバルブ３の右端側（図４の右側）すなわち仕切弁５側に水圧テストを行う場合は、上記図２〜図４の左端側管外径ネジ３１と同じ手順でＢバルブ３の管外径ネジ３２から穴付き袋ナット１２を外す。そして、Ｂバルブ３の右端側の穴付き袋ナット１２内にセットした接続アダプター１３のプラグカプラー１６を袋ナット１２の穴２３から外に突出させる。この状態で穴付き袋ナット１２をＢバルブ３のSSP給水管用の外径ネジ３２に穴付き袋ナット１２をねじ込んで接続アダプター１３の台座１４の外径が穴付き袋ナット１２に内蔵してある環状パッキン２４の内径に接して接続アダプター１３の軸心が保持される。また、台座１４はＢバルブ開口端の環状パッキンに３aに圧接して水密性が図れる。
【００３９】
そして、左端側のSSPに水圧テストを行う場合は、上記段落[００３３]〜[００３５]に記載した工程と同じ要領で行う。
【産業上の利用可能性】
【００４０】
本発明は、Ｂバルブの両端に接続するSSP波状管接続の給水管のほかに、Ｂバルブの一端にSSP波状管接続の給水管を、他端にHIVP側の給水管を接続した配管においても、従来は実際に水圧テストができなかったSSP波状管接続のＢバルブに接続アダプターを使用して当該Ｂバルブと量水器までの水圧テストができるようになり、利用の拡大が図れ、この種の水圧テストにおいて、使用部品点数の省力化及び作業の効率化が図れる。
【符号の説明】
【００４１】
１…水道の配水本管
２…配水本管側のSSP給水管
３…Ｂバルブ（ステンレス製ボール止水栓）
４…止水弁側の給水管
５…仕切弁
６…水道メーター
７…水道メーターと蛇口までの給水管
８…蛇口
９…配水本管のステンレス製サドル付分水栓
１０…配水本管を被覆する防食フィルム
１１…配水本管側のSSP穴付き袋ナット
１２…仕切弁側のSSP穴付き袋ナット
１３…接続アダプター本体
１４…円形台座
１５…筒形ニップル
１６…袋ナット付きのプラグカプラー
１７…円形台座の隆起部
１８…円形台座の雌ねじ
１９…筒形ニップル基部の雄ネジ
２０…筒形ニップル先端の雄ネジ
２１…筒形ニップルの穴付きの袋ナット
２２…左側穴付き袋ナットの穴
２３…右側穴付き袋ナットの穴
２４…穴付き袋ナットのＯリング
２５…給水管の継手ソケット
２６…水圧テストポンプ
２７…操作ハンドル
２８…圧力計
２９…給水管
３０…接続雄ネジ
３１…接続金具のユニオンナット
３２…接続金具のソケットカプラー
３３…耐圧ホース
３４…プラグカプラー
３５…ソケットカプラー
【図１】
2020016119.tif 000003
【図２】
2020016119.tif 000004
【図３】
2020016119.tif 000005
【図４】
2020016119.tif 000006
【図５】
2020016119.tif 000007
【図６】
2020016119.tif 000008
【図７】
2020016119.tif 000009
【図８】
2020016119.tif 000010
【図９】
2020016119.tif 000011